【手続補正書】
【提出日】平成30年2月15日(2018.2.15)
【手続補正１】
【補正対象書類名】特許請求の範囲
【補正対象項目名】全文
【補正方法】変更
【補正の内容】
【特許請求の範囲】
【請求項１】
インクジェットプリンタであって、
インクジェットプリンタの処理方向に移動するように構成された画像受け入れ表面を有する、間接的な画像受け入れ部材と、
液体担体および吸収剤を含む親水性組成物の層を画像受け入れ表面に塗布するように構成された表面管理ユニットと、
親水性組成物の層から液体担体の少なくとも一部を除去するために、画像受け入れ表面にある親水性組成物の層の方へ空気流を向かわせるように構成され、乾燥した層を形成するブロワと、
乾燥した層の上に水系インクを放出し、画像受け入れ表面に水系インク画像を作成するように構成された複数のインクジェットと、
画像受け入れ部材と係合して転写固定爪を作成し、乾燥した層の上の水系インク画像が転写固定爪を通って移動し、水系インク画像および水系インクを受け入れる乾燥した層の領域を印刷媒体表面に転写固定するにつれて、転写固定爪を通って移動する印刷媒体に圧力を加えるように構成された転写固定部材と、
画像受け入れ部材の上にインク液滴の画像データを作成するように構成された光学センサと、
ブロワおよび光学センサに作動可能に接続し、画像受け入れ部材の上のインク液滴の画像データを参照しつつブロワを操作するように構成されたコントローラとを備える、インクジェットプリンタ。
【請求項２】
ブロワは、さらに、
電源に選択的に接続するように構成された加熱要素を備え、
コントローラは、親水性組成物に向かって進む空気流の温度を制御するために、画像受け入れ部材の上のインク液滴の画像データを参照しつつ加熱要素を電源に選択的に接続するようにさらに構成される、請求項１に記載のプリンタ。
【請求項３】
親水性組成物に向かって進む空気流の温度を検知するために配置され、空気流で検知された温度の指標となる電気シグナルを作成するように構成された温度センサをさらに備え、
コントローラは、温度センサによって作成された電気シグナルを受け入れるように温度センサに作動可能に接続し、コントローラは、さらに、温度センサから受け入れた最大温度値および電気シグナルを参照しつつ親水性組成物に向かって進む空気流の温度を制御するように構成される、請求項２に記載のプリンタ。
【請求項４】
ブロワに作動可能に接続し、画像受け入れ部材に向かって、また、画像受け入れ部材から離れるようにブロワを移動させるように構成されたアクチュエータをさらに備え、
コントローラは、さらに、画像受け入れ部材の上のインク液滴の画像データを参照しつつブロワを移動させるようにアクチュエータを操作するように構成される、請求項１に記載のプリンタ。
【請求項５】
親水性組成物に向かって進む空気流の圧力を検知するように配置され、検知された空気流の圧力の指標となる電気シグナルを作成するように構成された圧力センサをさらに備え、
コントローラは、圧力センサによって作成された電気シグナルを受け入れるように圧力センサに作動可能に接続し、コントローラは、さらに、温度センサから受け入れた最大圧力値および電気シグナルを参照しつつ親水性組成物に向かって進む空気流の圧力を制御するようにさらに構成される、請求項４に記載のプリンタ。
【請求項６】
コントローラは、さらに、親水性組成物に向かって進む空気流の圧力を制御するために、画像受け入れ部材の上のインク液滴の画像データを参照しつつ、ブロワを移動させるように、または、ブロワの速度を調節するようにアクチュエータを操作するように構成される、請求項５に記載のプリンタ。
【請求項７】
親水性組成物に向かって進む空気流の圧力を検知するように配置され、空気流で検知された圧力の指標となる電気シグナルを作成するように構成された圧力センサをさらに備え、
コントローラは、圧力センサによって作成される電気シグナルを受け入れるように圧力センサに作動可能に接続され、コントローラは、さらに、圧力センサから受け入れた最大圧力値および電気シグナルを参照しつつ親水性組成物に向かって進む空気流の圧力を制御するように構成される、請求項１に記載のプリンタ。
【請求項８】
コントローラは、さらに、画像受け入れ部材の上のインク画像の後側の縁が光学センサを通過したことを示す画像受け入れ部材の上のインク液滴の画像データを参照しつつブロワの操作を停止させるように構成される、請求項１に記載のプリンタ。
【請求項９】
コントローラは、インク画像が光学センサを１回通過する間にブロワによって作成された空気流の圧力を下げるように構成される、請求項８に記載のプリンタ。
【請求項１０】
親水性組成物の液体担体の少なくとも一部を除去するために、インクジェットプリンタの画像受け入れ表面にある親水性組成物の方へ空気流を向かわせるように構成されたブロワと、
画像受け入れ部材の上にインク液滴の画像データを作成するように構成された光学センサと、
ブロワおよび光学センサに作動可能に接続し、画像受け入れ部材の上のインク液滴の画像データを参照しつつブロワを操作するように構成されたコントローラとを備える、インクジェットプリンタのための親水性組成物処理システム。
【請求項１１】
ブロワは、さらに、
電源に選択的に接続するように構成された加熱要素を備え、
コントローラは、親水性組成物に向かって進む空気流の温度を制御するために、加熱要素を電源に選択的に接続するようにさらに構成される、請求項１０に記載の親水性組成物処理システム。
【請求項１２】
コントローラは、最大温度値を参照しつつ空気流の温度を制御するように構成される、請求項１１に記載の親水性組成物処理システム。
【請求項１３】
親水性組成物に向かって進む空気流の温度を検知するために配置され、空気流で検知された温度の指標となる電気シグナルを作成するように構成された温度センサをさらに備え、
コントローラは、温度センサによって作成された電気シグナルを受け入れるように温度センサに作動可能に接続し、コントローラは、さらに、温度センサから受け入れた最大温度値および電気シグナルを参照しつつ親水性組成物に向かって進む空気流の温度を制御するように構成される、請求項１１に記載の親水性組成物処理システム。
【請求項１４】
ブロワに作動可能に接続し、画像受け入れ部材に向かって、また、画像受け入れ部材から離れるようにブロワを移動させるように構成されたアクチュエータをさらに備え、
コントローラは、さらに、空気流の圧力を制御するために、画像受け入れ部材の上のインク液滴の画像データを参照しつつブロワを移動させるようにアクチュエータを操作するように構成される、請求項１０に記載の親水性組成物処理システム。
【請求項１５】
親水性組成物に向かって進む空気流の圧力を検知するように配置され、検知された空気流の圧力の指標となる電気シグナルを作成するように構成された圧力センサをさらに備え、
コントローラは、圧力センサによって作成された電気シグナルを受け入れるように圧力センサに作動可能に接続し、コントローラは、さらに、温度センサから受け入れた最大圧力値および電気シグナルを参照しつつ親水性組成物に向かって進む空気流の圧力を制御するようにさらに構成される、請求項１４に記載の親水性組成物処理システム。
【請求項１６】
コントローラは、さらに、親水性組成物に向かって進む空気流の圧力を制御するために、画像受け入れ部材の上のインク液滴の画像データを参照しつつ、ブロワを移動させるように、または、ブロワの速度を調節するようにアクチュエータを操作するように構成される、請求項１５に記載の親水性組成物処理システム。
【請求項１７】
親水性組成物に向かって進む空気流の圧力を検知するように配置され、空気流で検知された圧力の指標となる電気シグナルを作成するように構成された圧力センサをさらに備え、
コントローラは、圧力センサによって作成される電気シグナルを受け入れるように圧力センサに作動可能に接続され、コントローラは、さらに、圧力センサから受け入れた最大圧力値および電気シグナルを参照しつつ親水性組成物に向かって進む空気流の圧力を制御するように構成される、請求項１３に記載の親水性組成物処理システム。
【請求項１８】
コントローラは、さらに、画像受け入れ部材の上のインク画像の後側の縁が光学センサを通過したことを示す画像受け入れ部材の上のインク液滴の画像データを参照しつつブロワの操作を停止させるように構成される、請求項１０に記載の親水性組成物処理システム。
【請求項１９】
コントローラは、インク画像が光学センサを１回通過する間にブロワによって作成された空気流の圧力を下げるように構成される、請求項１８に記載の親水性組成物処理システム。